(57)【要約】【課題】  樋支持具の仮止めと調整をより一層容易にかつ安定した状態で行えるとともに、本固定も同様に行えるようにした取付構造を提供する。【解決手段】  樋支持具２の基部２１を上下方向に嵌め込む受け部１４を、板体を折曲して形成し、その両側面にストッパー１５を内方突出して形成した固定具１と、樋支持部２２を延設した一端部に上記受け部に嵌合する基部２１を形成し、その両側面にストッパーが係合するラック状の凹凸部を形成し、その上又は下に目盛２４を形成した樋支持具２とを組み合わせ、凹凸部とストッパーとの係合状態を上下に調整した上で基部を躯体側に本固定するようにして取付構造とした。【選択図】      図１
2006336287.tif 000002
【特許請求の範囲】
【請求項１】
樋支持具の基部を上下方向に嵌め込み可能な受け部が形成されてなる躯体側への固定具と、基部から外方に樋支持部が張出し形成されてなる樋支持具とを組合わせてなり、上記固定具と樋支持具との上下方向に摺動可能な対向部に、互いに係合可能でかつ摺動可能なラック状の凹凸部とストッパーが形成されてなる構成を有する樋支持具の取付装置。
【請求項２】
凹凸部の少なくとも上下方向いずれかに目盛が設けられてなる請求項１に記載の樋支持具の取付装置。
【発明の詳細な説明】
【技術分野】
【０００１】
本発明は、樋を軒先などの躯体側に仮止め可能に取り付けられるようにした樋支持具の取付装置に関する。
【背景技術】
【０００２】
例えば軒樋の支持具は樋吊下げ構造と受け形構造があり、いずれも軒先の鼻隠しに固定して使用されているが、樋は全体に亘って若干の水勾配を保って略水平に設置される必要があることから、支持具を正確な位置に固定することが要求されている。正確な位置を設定するには、支持具を一端仮止めし、位置調整した上で本固定するのが好ましく、そのための構成として、特許文献１には、図１などに、鼻隠し面に接合する樋支持具の垂直壁部に位置調整用の縦長孔を形成した構成が示されている。この長孔には鼻隠しに固定してあるボルトを通し、ナット締めして仮固定し、その上でナットを緩めて長孔で位置調整をして再度締め付け直し、その後、ビスやスクリュー釘などで本固定するものである。
また、その図６などに、垂直壁部の左右両縁部を挟持する係止部材を用いた構成が示されている。垂直壁部の上下にずらせて挟持させて位置調整し、その後で仮固定を本固定するものである。
【特許文献１】特開２００１−９８７２０号公報
【発明の開示】
【発明が解決しようとする課題】
【０００３】
上記のように、仮固定可能な構成とすることにより、位置調整ができ、樋支持具の正確な設置が可能となって好ましいが、仮固定の簡便性と安定性とを同時に実現し、かつ正確な本固定を簡便に行えるようにするためには、さらに改善の余地がある。
本発明は、このような着眼からなしたものであり、樋支持具をより簡便に安定した状態で仮固定できると同時に、より簡便な操作で正確に本固定ができるようにした樋支持具の取付装置を提供せんとするものである。
【課題を解決するための手段】
【０００４】
上記課題を解決するために、本発明は、樋支持具の基部を上下方向に嵌め込み可能な受け部が形成されてなる躯体側への固定具と、基部から外方に樋支持部が張出し形成されてなる樋支持具とを組合わせてなり、上記固定具と樋支持具との上下方向に摺動可能な対向部に、互いに係合可能でかつ摺動可能なラック状の凹凸部とストッパーが形成されたものとして、樋支持具の取付装置を構成したことを特徴とするものである。
上記凹凸部の少なくとも上下方向いずれかに目盛が設けられているのが好ましく、この目盛は横方向から目視可能に設けられているのが好ましい。
【発明の効果】
【０００５】
本発明によれば、樋支持具の基部を固定具の受け部に上下方向から嵌め込み、対向形成してある凹凸部とストッパーとを係合させる簡便な操作だけで仮固定ができ、仮固定は凹凸の係合によってずれるおそれなく確実に固定状態を維持でき、位置調整に際しては、上下方向に押圧するだけの簡便な操作によって係合状態を簡便に摺動させ、位置を正確に調整することができ、これを係合状態で維持させているので、正確に本固定することができるものとなる。
上記凹凸部の少なくとも上下方向いずれかに目盛を設けてあれば、仮固定を正確な一定位置に揃えてより簡便に設置することができ、しかも位置調整をより一層簡便かつ正確に行うことができる。
【発明を実施するための最良の形態】
【０００６】
以下、図面によって本発明の好適な一実施形態を説明する。
図１〜図４は第一の実施例、図５〜図７は第二の実施例を示しているが、本発明はこれらの実施例に限定されるものではない。
本取付装置は、固定具１と樋支持具２とを組合わせてなり、固定具１は躯体側例えば鼻隠し面３に一定間隔を置いて固着しておき、これらに樋支持具２を嵌め込んで仮固定し、必要に応じて樋支持具２を位置調整した上で、樋支持具を本固定するようにしてなるものである。
【０００７】
第一の実施例において、固定具１は、ステンレスその他適宜金属プレートを打ち抜き折曲して、前面１１、両側面１２，１２、その両縁に固定面１３，１３を横断面ハット形に形成し、前面と両側面裏側に樋支持具２の基部２１を下から上方に嵌め込み可能な空間としての受け部１４を形成してなる。
【０００８】
前面１１は、樋支持具２を下から嵌め込みやすくするために上部を残し下部を切欠して形成し、両側面１２，１２には、面内の一部に切り込みを形成するとともに受け部１４内方に折曲して突出したストッパー１５を形成し、固定面１３には、躯体側への取付孔１６を穿設してある。１７は鼻隠し面への固定用リベットである。
上記固定具１は、図１に示す如く、鼻隠し面３の所定高さ位置に一定間隔をおいて固定しておくことができ、予め工場施工しておくことが可能である。
【０００９】
樋支持具２は、塩化ビニル、ポリカーボネートその他の合成樹脂、或いは他の適宜材質の単体乃至組み合わせなど任意とし、板状の基部２１の上部から前方に略水平状に樋支持部２２を張出し形成してなる。
【００１０】
基部２１は上記受け部１４に略一杯に嵌合する方形板状体とし、その両側面（両側端面）内に適宜上下幅に亘って、上下方向にギザギザ条を繰り返し形成したラック状の凹凸部２３を形成し、その下方に適宜上下幅に亘る目盛２４を形成し、その下方の板状部をすぼまり形とし、その面内に本固定用のスクリュー釘などの取付孔２５を穿設してある。
【００１１】
上記凹凸部２３は、基部２１を固定具１に嵌め込んだ状態においてストッパー１５と噛み合う位置に対向するように設定し、ストッパー１５との係合状態を維持し得るとともに、上下方向への適度な人手による押圧力によって係合状態で摺動可能となるような形状とし、断面で二等辺三角形状、台形状、鋸歯形状など適宜形状とすることができる。
目盛２４は、基部２１を嵌め込んだ上記同様の状態において、側面１２の下端縁が目盛に対する目印となるように対応設定してある。
【００１２】
樋支持部２２は、基部２１と一体成形し、或いは別成形したものを結合して形成することができ、図示の如き樋吊下げ構造とし、或いは図示しない樋受け形構造とすることができ、いずれにおいても任意の構造、形態とすることができる。
【００１３】
上記構成の樋支持具の取付構造によれば、鼻隠し面３などに固定した固定具１の受け部１４に、基部２１を下から上方に向けて嵌め込み、凹凸部２３とストッパー１５を噛み合わせて係合させ、目盛２４の一定位置で止めれば、仮固定することができる。
仮固定は、嵌め込み操作だけでよいので極めて簡便であり、係合による固定なのでずれることなく確実に安定し、目盛を利用すれば正確な位置出しをすることができる。
位置調整が必要な場合は、基部２１を上下方向に押圧するだけの簡便な操作で係合に抗して摺動でき、調整が可能である。調整後も基部２１は係合により確実に安定して定置するので、正確に本固定することができる。
なお、上記において、凹凸部２３とストッパー１５の係合は両側面で行うのが安定性が高いので好ましいが、一側面のみで行うように形成することも可能である。
【００１４】
第二の実施例において、第一の実施例と異なる点は、固定具１に対して樋支持具２を上から下方に嵌め込むように構成したことにある。なお、各部を示す図の符号は第一の実施例と対応して同一符号を付してある。
【００１５】
固定具１は、前記同様の構成において、前面を切欠せずに、基部２１のすぼまり下部を嵌め込めるように受け部１４を形成してあり、鼻隠し面３への固定は、図７に示す如く第一の実施例よりも下方位置においてなされる。
樋支持具２は、前記同様の構成において、基部２１のすぼまり下部の両側面に凹凸部２３を形成し、その上側部位に目盛２４を形成して、固定具１の側面１２の上端縁が目盛に対する目印となるように設定し、取付孔２５は基部の上方部分に穿設して形成してある。
【００１６】
上記実施例において、ストッパーと凹凸部は対向可能な位置に形成してあればよく、基部の側面にストッパーを突出形成し、固定具の側面内側に凹凸部を形成することができる。
また、基部を平坦面以外の凹凸形状とし、或いは板状以外の柱状などの適宜形状とし、その他の各部の構成を変形することは任意であり、このような変化は本発明に属するものである。
【図面の簡単な説明】
【００１７】
【図１】本装置の固定具と樋支持具とを分解して示した斜視図である。
【図２】図１の嵌合状態を示す斜視図である。
【図３】凹凸部とストッパーとの係合構造を示す部分断面図である。
【図４】固定具を鼻隠し面に固定した状態を示す部分斜視図である。
【図５】本装置の第二の実施例に係る固定具と樋支持具との分解斜視図である。
【図６】図５の嵌合状態を示す斜視図である。
【図７】図５の固定具を鼻隠し面に固定した状態を示す部分斜視図である。
【符号の説明】
【００１８】
１  固定具、      ２  樋支持具、      ３  鼻隠し面、
１１  前面、      １２  側面、      １３  固定面、      １４  受け部、
１５  ストッパー、      １６  取付孔、      １７  リベット、
２１  基部、      ２２  樋支持部、      ２３  凹凸部、      ２４  目盛、
２５  取付孔
【図１】
2006336287.tif 000003
【図２】
2006336287.tif 000004
【図３】
2006336287.tif 000005
【図４】
2006336287.tif 000006
【図５】
2006336287.tif 000007
【図６】
2006336287.tif 000008
【図７】
2006336287.tif 000009